(57)【要約】  ピン矯正ツール（６０）は、末端が端部アセンブリ（６４）となっているシャフト（６２）と、その内部に曲がったピン（１４）を収容するための、端部アセンブリ内のチャンバー（８０）であって、端部アセンブリ内で末端が棚部（８２）となっているチャンバーと、曲がったピンを矯正するための、チャンバー内に設けられた孔（８４）と、を具備し、シャフトが回転させられたとき曲がったピンの末端部を孔内へと押しやるようになっている。
2005512812.tif 000002
【特許請求の範囲】
【請求項１】
末端が端部アセンブリとなっているシャフトと、
内部に曲がったピンを収容するための、前記端部アセンブリ内のチャンバーであって、前記端部アセンブリ内部で末端が棚部となっている前記チャンバーと、
前記曲がったピンを矯正するための、前記チャンバー内に設けられた孔と、
を具備し、
前記シャフトが回転させられたとき前記曲がったピンの末端部を前記孔内へと押しやるようになっていることを特徴とするピン矯正ツール。
【請求項２】
前記孔は、前記端部アセンブリの中心に配置されていることを特徴とする請求項１に記載のピン矯正ツール。
【請求項３】
前記チャンバーは、前記端部アセンブリの中心に対して偏心的に配置されていることを特徴とする請求項２に記載のピン矯正ツール。
【請求項４】
前記チャンバーは、前記曲がったピンの背後で駆動可能な、二つの対向する長手方向に延在したエッジを形成するギャップを含むことを特徴とする請求項３に記載のピン矯正ツール。
【請求項５】
前記孔は、前記棚部の後方エッジに隣接する後方側面を有することを特徴とする請求項３に記載のピン矯正ツール。
【請求項６】
前記孔は、前記ピンの直径よりも僅かに大きな直径を有することを特徴とする請求項１に記載のピン矯正ツール。
【請求項７】
前記チャンバーは、前記孔の直径よりも格段に大きな直径を有することを特徴とする請求項１に記載のピン矯正ツール。
【請求項８】
前記チャンバーは、前記ピンの長さよりも小さな深さを有することを特徴とする請求項１に記載のピン矯正ツール。
【請求項９】
前記チャンバーの深さを加えた前記孔の深さは、前記ピンの長さよりも大きなものとなることを特徴とする請求項８に記載のピン矯正ツール。
【請求項１０】
前記端部アセンブリは、前記ピンをその内部に具備する収容部内に収容可能な第１の減径部を含むことを特徴とする請求項１に記載のピン矯正ツール。
【請求項１１】
前記第１の減径部は、前記収容部の内径よりも小さな外径を有することを特徴とする請求項１０に記載のピン矯正ツール。
【請求項１２】
前記チャンバーは前記第１の減径部に配置されていることを特徴とする請求項１０に記載のピン矯正ツール。
【請求項１３】
前記端部アセンブリは、前記ピンを具備する前記収容部内に同様に収容可能な第２の減径部をさらに含むことを特徴とする請求項１０に記載のピン矯正ツール。
【請求項１４】
前記第２の減径部は、前記収容部の内径よりも僅かに小さな外径を有することを特徴とする請求項１３に記載のピン矯正ツール。
【請求項１５】
前記孔は前記第２の減径部内へ延在することを特徴とする請求項１３に記載のピン矯正ツール。
【請求項１６】
前記第２の減径部は、前記収容部の深さよりも小さな長さを有することを特徴とする請求項１３に記載のピン矯正ツール。
【請求項１７】
前記第２の減径部は、前記収容部よりも直径の大きなショルダー部を前記端部アセンブリに形成することを特徴とする請求項１３に記載のピン矯正ツール。
【請求項１８】
前記第１の減径部と前記第２の減径部との間に、前記第２の減径部を前記収容部内に整列させるための傾斜壁をさらに含むことを特徴とする請求項１３に記載のピン矯正ツール。
【請求項１９】
前記シャフトには、その把持のためのローレット仕上げがなされていることを特徴とする請求項１に記載のピン矯正ツール。
【請求項２０】
前記シャフトは円形であることを特徴とする請求項１に記載のピン矯正ツール。
【請求項２１】
前記端部アセンブリは円形であることを特徴とする請求項１に記載のピン矯正ツール。
【請求項２２】
末端が、曲がったピンを具備する収容部内に収容可能な端部アセンブリとなっているシャフトと、
前記曲がったピンの末端部を直線形状へと強制変形させる形状となった、前記端部アセンブリ内部のカム面と、
前記カム面によって前記ピンが直線形状へと強制変形させられた際に、前記ピンの前記末端部をその内部に収容する孔と、
を具備してなることを特徴とするピン矯正ツール。
【請求項２３】
前記カム面は、前記端部アセンブリに形成されたチャンバーの内壁であることを特徴とする請求項２２に記載のピン矯正ツール。
【請求項２４】
前記チャンバーは、末端が前記端部アセンブリ内で棚部となっていることを特徴とする請求項２３に記載のピン矯正ツール。
【請求項２５】
前記孔は、前記端部アセンブリの中心に配置されていることを特徴とする請求項２２に記載のピン矯正ツール。
【請求項２６】
前記チャンバーは、前記端部アセンブリの中心に対して偏心的に配置されていることを特徴とする請求項２３に記載のピン矯正ツール。
【請求項２７】
前記チャンバーは、曲がったピンの背後で駆動可能な、二つの対向する長手方向に延在したエッジを形成するギャップを含むことを特徴とする請求項２３に記載のピン矯正ツール。
【請求項２８】
前記孔は、前記棚部の後方エッジに隣接する後方側面を有することを特徴とする請求項２４に記載のピン矯正ツール。
【請求項２９】
前記孔は、前記ピンの直径よりも僅かに大きな直径を有することを特徴とする請求項２２に記載のピン矯正ツール。
【請求項３０】
前記チャンバーは、前記孔の直径よりも大きな直径を有することを特徴とする請求項２３に記載のピン矯正ツール。
【請求項３１】
前記チャンバーは、前記ピンの長さよりも小さな深さを有することを特徴とする請求項２３に記載のピン矯正ツール。
【請求項３２】
前記チャンバーの深さを加えた前記孔の深さは、前記ピンの長さよりも大きなものとなることを特徴とする請求項２３に記載のピン矯正ツール。
【請求項３３】
前記端部アセンブリは、内部に前記ピンを具備する収容部内に収容可能な第１の減径部を含むことを特徴とする請求項２２に記載のピン矯正ツール。
【請求項３４】
前記端部アセンブリはさらに、前記ピンを具備する収容部内に同様に収容可能な第２の減径部を含むことを特徴とする請求項３３に記載のピン矯正ツール。
【請求項３５】
前記第２の減径部は、前記収容部よりも直径の大きなショルダー部を前記アセンブリに形成することを特徴とする請求項３４に記載のピン矯正ツール。
【請求項３６】
前記第１の減径部と前記第２の減径部との間に、前記第２の減径部を前記収容部内に整列させるための傾斜壁をさらに含むことを特徴とする請求項３４に記載のピン矯正ツール。
【請求項３７】
末端に配置された第１の減径部と、この第１の減径部に隣接する第２の大減径部と、を有し、末端が端部アセンブリとなっているシャフトと、
末端が棚部となっている前記第１の減径部内のチャンバーであって、曲がったピンの背後で駆動可能な、二つの対向する長手方向に延在したエッジを形成するギャップを有する前記チャンバーと、
前記棚部に設けられ、かつ前記曲がったピンを矯正するため前記第２の減径部内へと延在する孔と、
を具備し、
前記シャフトが回転させられた際に前記曲がったピンの末端部を前記孔内へ押しやるようになっていることを特徴とするピン矯正ツール。
【請求項３８】
末端が端部アセンブリとなっているシャフトと、
末端がその内部の棚部となっている前記端部アセンブリ内のチャンバーであって、末端が、内部に曲がったピンを具備する収容部内に収容可能な、二つの対向する長手方向に延在したエッジを形成するギャップとなっているカム面を形成する内壁を有する前記チャンバーと、
ツールが回転させられ、一つの長手方向に延在するエッジが前記曲がったピンの背後で動いて、前記カム面が前記曲がったピンを前記孔内へと押しやる際に、内部に前記曲がったピンを収容するための、前記チャンバーの内壁に隣接する孔と、
を具備してなることを特徴とするピン矯正ツール。
【請求項３９】
シャフトと、
ピンを収容部内で同心関係となるよう強制変形させる、前記シャフトの末端部に存在するカラー部と、
前記カラー部が回転させられた際に、その内部に前記ピンの末端部を収容する孔と、
を具備してなることを特徴とするピン矯正ツール。
【請求項４０】
前記カラー部は、前記シャフトの減径末端部と、前記減径末端部に偏心的に設けられたチャンバーと、前記チャンバーと連通している、前記シャフトの前記減径末端部における開口部と、から形成されていることを特徴とする請求項３９に記載のピン矯正ツール。
【発明の詳細な説明】
【技術分野】
【０００１】
本発明は、曲がったコネクターピンを矯正するのに有用な、そしてまた、電子モジュールの全てのコネクターピンが直線形状で、かつコネクター収容部に対して同心的に位置していることを保証するのに有用なピン矯正ツールに関する。
【背景技術】
【０００２】
汎用出力（ＧＰＯ）コネクターを含むあるコネクターは、極めて小さな（たとえば０．０１２インチ）直径の、ＧＰＯ収容部内で曲がりやすい中心導体ピンを有する。収容部がこのピンを取り囲んでいるため、そして多くのＧＰＯコネクターは所与の電子モジュール内に存在するため、コネクターピンが曲がっている場合、および／または収容部内で同心的に位置していない場合に、発見するのが困難なことがある。
【０００３】
コネクターの他の部分（通常、プラグと呼ばれている）は、収容部内にプラグが押し込まれた際にピンを収容する。しかしながら、もしピンが曲がっていると、プラグを収容部内に押し込む動作がさらにピンを曲げてしまう可能性があり、不完全な接続、あるいはさらに悪いことには、たいてい高価な電子モジュールのスクラップ化につながるピンの損傷を生じる。
【０００４】
しかしながら、たとえピンが曲がっているが損傷していない場合でも、電子モジュールの試験あるいはオペレーションは、費用および時間の掛かるトラブルシューティング、手直し、そして最終的には（いったん故障モードが確定されると）曲がったピンの修理を必要とするような失敗に終わる。
【０００５】
現在では、ピンを矯正するために小さなピンセットが使用されているが、この操作はマスターするのが難しく、時間を浪費する試みとなり、しかもピンが直線形状であること、そしてさらにそれがコネクター収容部内で同心的に位置していることを必ずしも保証しないエラー処理を生じる。他の従来装置は、ピンをその内部に収容する単一孔を備えたシャフトを含んでいる。不都合なことに、この装置では、ピンがひどく曲がっている場合、そしてピンが僅かに曲がっているだけの場合でさえ効果的に使用できない。このツールは、必ずしも直線形状のピンをもたらすとは限らず、あるいはさらに悪いことには、ピンを損傷させてしまう可能性があり、こうした場合には、上述したように、電子モジュールを廃棄しなければならない。さらに、この従来ツールもまた少々使用するのが難しい。
【発明の開示】
【発明が解決しようとする課題】
【０００６】
それゆえ本発明の目的は、さらに有用で、かつ精確なピン矯正ツールを提供することである。
【０００７】
本発明のさらなる目的は、ＧＰＯコネクターおよびさらにはピンを有する他のタイプのコネクターと共に使用可能であるようなピン矯正ツールを提供することである。
【０００８】
本発明のさらなる目的は、曲がったコネクターピンを矯正するのに使用でき、かつプラグがその内部に配置される前に、電子モジュールのコネクターピンの全てが直線形状であり、しかもコネクター収容部内に同心的に位置していることを保証するのにも使用可能であるようなピン矯正ツールを提供することである。
【０００９】
本発明のさらなる目的は、ひどく曲がったコネクターピンでさえ、それを損傷させることなく操作者が徐々に矯正することを可能とするようなピン矯正ツールを提供することである。
【００１０】
本発明のさらなる目的は、扱いやすいピン矯正ツールを提供することである。
【００１１】
本発明のさらなる目的は、製造するのが容易であるようなピン矯正ツールを提供することである。
【００１２】
本発明のさらなる目的は、製造の費用対効果が高いようなピン矯正ツールを提供することである。
【００１３】
本発明のさらなる目的は、高価な電子モジュールのスクラップ化を阻止するようなピン矯正ツールを提供することである。
【００１４】
本発明のさらなる目的は、曲がったピンおよび／または非同心的に位置するピンを備える電子モジュールに関する時間の掛かるトラブルシューティング、手直し、および解析に関係する費用を排除するようなピン矯正ツールを提供することである。
【００１５】
本発明のさらなる目的は、正しく使用された場合、曲がったピンが適切に矯正され、かつその収容部内に同心的に位置するときに、コネクターピンが直線形状であることを保証し、かつ使用者にフィードバックをもたらすようなピン矯正ツールを提供することである。
【課題を解決するための手段】
【００１６】
本発明は、さらに精確でしかも使いやすいピン矯正ツールが、ａ）末端が端部アセンブリとなっているシャフトであって、ピンを納める収容部の内径よりも僅かに小さい外径を持ち、かつコネクターピンを取り囲むと共にシャフトが回転させられた際にピンを矯正し、さらにピンを収容部内に同心的に整列させるカム形内壁あるいはカラーを有するよう構成されたシャフトと、ｂ）ピンが同心的に整列して、ピンが現状では直線形状となったことを操作者に明確にフィードバックした際に、ピンが収容されかつ矯正される、カム形壁あるいはカラーに隣接する孔と、によってもたらされたことの実現に由来する。
【００１７】
本発明は、末端が端部アセンブリとなっているシャフトと、その内部に曲がったピンを収容するための、端部アセンブリ内のチャンバーと、を具備するピン矯正ツールを特徴とする。このチャンバーは端部アセンブリ内部で末端が棚部となっており、かつ曲がったピンの末端部を孔内へと押しやるようシャフトが回転させられたときに曲がったピンを矯正するための、チャンバー内に設けられた孔が存在する。
【００１８】
好ましい実施形態においては、孔は端部アセンブリの中心に配置され、かつ、チャンバーは、端部アセンブリの中心に対して偏心的に配置される。また好ましい実施形態においては、チャンバーは、曲がったピンの背後で駆動可能な、二つの対向する長手方向に延在したエッジを形成するギャップを含む。孔は、通常、棚部の後方エッジに隣接する後方側面を有する。
【００１９】
ある実施形態においては、孔は、ピンの直径よりも僅かに大きな直径を有する。チャンバーは、孔の直径よりも格段に大きな直径を有する。チャンバーはピンの長さよりも小さな深さを有する。そしてチャンバーの深さを加えた孔の深さは、ピンの長さよりも大きなものとなる。
【００２０】
好ましい実施形態おいては、端部アセンブリは、ピンをその内部に具備する収容部内に収容可能な第１の減径部を含む。この第１の減径部は、収容部の内径よりも小さな外径を有し、そしてチャンバーは第１の減径部内に配置されている。好ましくは、端部アセンブリは、ピンを具備する収容部内に同様に収容可能な第２の減径部をさらに含む。この第２の減径部の外径は、収容部の内径よりも僅かに小さい。この実施形態では、孔は第２の減径部内へと延在する。
【００２１】
第２の減径部は、好ましくは、収容部の深さよりも小さな長さを有し、しかも第２の減径部は、収容部よりも直径の大きなショルダー部を端部アセンブリに形成する。また、第１の減径部と第２の減径部との間には、第２の減径部を収容部内で整列させるための傾斜壁が存在してもよい。ある実施形態では、シャフトには、その把持のためのローレット仕上げがなされ、シャフトは円形であり、そして端部アセンブリは円形である。
【００２２】
本発明によるあるピン矯正ツールは、末端が、曲がったピンを具備する収容部内に収容可能な端部アセンブリとなっているシャフトと、曲がったピンの末端部を直線形状へと強制変形させる形状となった、端部アセンブリ内部のカム面と、カム面によってピンが直線形状へと強制変形させられた際に、曲がったピンの末端部をその内部に収容する孔と、を含む。通常、カム面は端部アセンブリ内に形成されたチャンバーの内壁である。このチャンバーは、末端が端部アセンブリ内で棚部をなしていてもよい。好ましくは、孔は端部アセンブリの中心に配置され、かつチャンバーは、端部アセンブリの中心に対して偏心的に配置される。加えて、チャンバーは、曲がったピンの背後で駆動可能な、二つの対向する長手方向に延在したエッジを形成するギャップを含んでいてもよい。
【００２３】
本発明のピン矯正ツールは、末端に配置された第１の減径部と、この第１の減径部に隣接する第２の大減径部と、を有し、末端が端部アセンブリとなっているシャフトと、末端が棚部となっている、第１の減径部内のチャンバーであって、曲がったピンの背後で駆動可能な、二つの対向する長手方向に延在したエッジを形成するギャップを有するチャンバーと、棚部に設けられ、かつ曲がったピンの末端部を孔内へと押しやるようシャフトが回転させられた際に曲がったピンを矯正するための、第２の減径部内へと延在する孔と、を含んでいてもよい。
【００２４】
本発明の好ましい実施形態によるピン矯正ツールは、末端が端部アセンブリとなっているシャフトと、末端が、その内部に曲がったピンを具備する収容部内に収容可能な二つの対向する長手方向に延在したエッジを形成するギャップとなっているカム面を形成する内壁を有するチャンバーと、ツールが回転させられ、一つの長手方向に延在するエッジが曲がったピンの背後で動いて、カム面が曲がったピンを孔内へと押しやる際に、その内部に曲がったピンを収容するための、チャンバーの内壁に隣接する孔と、を具備する。
【００２５】
ある実施形態では、シャフトと、収容部の内部にピンを同心関係となるよう押しやる、シャフトの末端部に存在するカラー部と、このカラー部が回転させられた際に、その内部にピンの末端部を収容する孔と、が存在する。通常、カラー部はシャフトの減径末端部によって形成され、かつシャフトの減径末端部における開口部はチャンバーと連通している。
【発明を実施するための最良の形態】
【００２６】
当業者は、上記以外の目的、特徴および利点を、好ましい実施形態に関する以下の説明および添付図面から見出すであろう。
【００２７】
図１は、収容部１６内に中心導体あるいはピン１４を含むＧＰＯコネクターであってもよい通常のコネクター１２を示す。ピン１４は、ある例では、直径がほんの０．０１２インチである。プラグ１８の孔２０は、プラグ１８が収容部１６内へ押し込まれた際に、その内部にピン１４を収容する。
【００２８】
しかしながら、先の背景技術のセクションにて概説したように、ピン１４（図２）は曲がりやすく、しかもプラグ１８を収容部１６内に押し込む動作はピン１４をさらに曲げる可能性があり、不完全な接続を、あるいはさらに悪いことにはピン１４の損傷を生じる。これは、コネクター１２および、通常、多くの付加的な類似のコネクターを含む、多くの場合高価な電子モジュールのスクラップ化につながる可能性がある。
【００２９】
従来技術においては、その末端部に単一の孔３２を含むピンセットあるいは同等のツール３０（図３）が、曲がったピンを矯正するために使用されていた。都合の悪いことに、ツール３０は、ピン１４がひどく曲がっている場合には効果的に使用できない。しかもピン１４が僅かに曲がっている場合でさえ、ツール３０は常に直線形状のピンをもたらすわけではなく、さらに悪いことにはピンを損傷させてしまう可能性がある。この場合、電子モジュールは廃棄しなければならず、不都合な浪費を生じる。ピンセットおよび従来型のツール３０に関係する他の問題は、先の背景技術のセクションにて概説した。
【００３０】
本発明のピンあるいは中心導体矯正ツール６０（図４）は、末端が独特の端部アセンブリ６４となっている通常円形のシャフト６２を含む。ハンドル端部６６はローレット面６８を含んでいてもよい。ハンドル端部６６を貫通するオリフィス７０もまた含まれていてもよく、中心ピンコネクターを備えた電子コンポーネンツが組み立てられているか、テストされている場合に、ツール６０を作業台につなぎ留めておくのに使用できる。試作ツール６０は金属製で、１．５インチの長さがあり、そしてハンドル端部６６の直径は０．２５０インチである。
【００３１】
この同一の実施形態において、端部アセンブリ６４は、直径が０．１１３インチでかつ０．０１０インチの面取りがなされた長さが０．０６７インチの第１の減径部７２を含む。第２の減径部７４は、直径が０．１３７インチで、かつ長さは０．０２３インチであり、０．０１０インチの面取りがなされている。傾斜壁７６は、第１の減径部７２と第２の減径部７４とを連結する。ショルダー部７８は、第２の減径部７４と第３の減径部７９との間に存在すると共に、第３の減径部７９は大きすぎて（たとえば直径０．１６６インチ）コネクター収容部内に収容できないことから確動ストッパーとして機能する。これら寸法は、本実施形態では、特に、内径０．１４０インチで、かつ深さ０．１６３インチの、長さ０．０５５インチでかつ直径０．０１２インチのピンを備えたＧＰＯコネクターに合わせたものである。しかしながら、当業者ならば、これら特定の具体的な寸法を、他の形状および寸法を有するコネクターにどのようにして適合させるかを理解するであろう。
【００３２】
傾斜壁７６は、第２の減径部７４を、ショルダー部７８によって規定される最大深さまでコネクター収容部内へ案内するのを助ける。したがって、この特定の実施形態および同様に好ましい実施形態においては、第１および第２の減径部７２および７４のみが、同心性をチェックされ、かつ／または矯正されるピンを具備する収容部内に収容可能である。しかも、第２の減径部７４は収容部の内径よりも僅かに小さな直径を有し、一方、第１の減径部７２はさらに小さな直径を有する。
【００３３】
また好ましい実施形態においては、端部アセンブリ６４の全長は収容部の深さにおおむね等しいか、あるいはそれよりも僅かに小さい。上記実施形態では、端部アセンブリ６４の長さは０．１１０インチであり、これは第１の減径部７２の長さ（０．０７７インチ）と第２の減径部７４の長さ（０．０３３インチ）との和である。
【００３４】
図５および図６によく示されているように、チャンバー８０は、端部アセンブリ６４の第１の減径部７２に設けられており、末端が棚部８２（図６）となっている。ピン矯正孔８４は好ましくはチャンバー８０内に配置され、かつ棚部８２を始点とし、第２の減径部７４内へと延在している。
【００３５】
好ましい実施形態では、孔８４は端部アセンブリ６４の中心に配置されるが、円形チャンバー８０の中心は、端部アセンブリ６４の中心に関して偏心的に配置されている。言い換えれば、孔８４の長手方向軸線は、ツールの長手方向軸線に沿って位置させられる。しかしながら、円形チャンバー８０の長手方向軸線はツールの長手方向軸線と平行であるが、それから変位させられている。上記実施形態においては、チャンバー８０は０．０２５インチの深さを有し、一方、孔８４の深さは０．０６インチである。しかもチャンバー８０の直径は０．０６７インチであり、一方、孔８４の直径は０．０１８インチである。これは、０．０１２インチ径ピンの直径よりも僅かに大きな直径である。
【００３６】
概して、チャンバー８０は、矯正されるピンの長さよりも小さな深さを有すると共に、チャンバー８０の深さが加えられた際、孔８４の深さは、矯正されるピンの長さよりも僅かに大きなものとなる。
【００３７】
好ましくは、チャンバー８０は、第１の減径部７２の外壁に、二つの対向する長手方向に延在したナイフエッジ９２および９４を形成するギャップ９０（図４および図６）を有するか、あるいはギャップ９０を形成している。これは、第１の減径部７２がコネクター収容部内に位置させられ、かつツール６０が右あるいは左に回転させられたとき、最もひどく曲がったピンでさえ背後で駆動できる。チャンバー８０の上端面９８（これは第１の減径部７２の末端部によって形成される）は、好ましくは、０．０１０インチ×４５°の面取り部を有する。
【００３８】
先に示したように、孔８４（図６）は、棚部８２の後方エッジに直に隣接する後方側面を有すると共に、カム形のチャンバー壁１００の中心と整列している。チャンバー８０（ツールの長手方向軸線から軸線がずれている）はギャップ９０を形成するだけでなく、さらにカム形の内壁１００を形成する。ギャップエッジ９２および９４と内部カム面１００とで形成され、ツール６０が回転させられた際に、曲がったピンをその収容部内で同心関係となるようにし、そしてその後矯正用の孔８４内に押しやるのがこのカラー部である。現状では同心的に整列したピンが孔８４内に進入しながらのこの動作は、減径部７４がコネクター収容部内に、棚部８２がストッパーを形成しているところまで完全に収容されることを可能とし、これによって、中心導体ピンが現状では直線形状であり、かつコネクター収容部内で同心的に整列しているという直接的フィードバックを使用者に提供する。
【００３９】
品質を保証する目的で使われるとき、ピンが既に直線形状で同心的に整列している場合でさえ、ピンが孔８４内にすぐに進入し、かつ端部アセンブリ６４がショルダー部７８までコネクター収容部内に完全に収容されるという挙動は、検査あるいは品質保証人員に、ピンは曲がっておらず、あるいはさもなければコネクター収容部に対して、同心的整列状態から動いていないという確動フィードバックを提供する。
【００４０】
ゆえに、ツール６０はプラグ１８（図２）の挿入に先立って使用されるよう設計され、この結果、ピン１４は直線形状でかつ同心であることが保証される。ツール６０（図４〜６）は、僅かにひねりを加えてコネクターに挿入される。このひねりは、既に曲がっているピンがそれ以上曲がるのを防止する。なぜなら、使用者は曲がったピンが棚部８２（図６）に作り出す抵抗を感じ取ることができるからである。挿入の間、ツールを回転させることで、ツールの矯正部は曲がったピンを滑りながら通過できるようになる。いったん、完全に挿入されると、ツールは完全に１回転させられる。ツール６０は、コネクター収容部あるいは殻体内に密接にフィットするように設計され、かつ上述したようにシャープなナイフエッジ偏心特性を有するので、回転の間にピンは矯正される。ツールが回転させられるとき、偏心部はピンの背後で駆動させられ、そしてそれを正確な中心まで徐々に押し戻す。ツール６０は、コネクター収容部の内面に接触するほどピンが曲がっている場合でさえ、有効であることが実証された。
【００４１】
ツール６０はスチールロッドから構成でき、その一端は、ＧＰＯあるいは他のコネクターの内径に非常に近い直径まで機械加工される。このターンダウン端部の長さは、完全に正確に、ＧＰＯコネクターあるいは他の類似のタイプのコネクターの内部深さと一致する。この方法では、ツールは、それが完全にコネクター内に挿入されたという視覚的な目安を提供するストッパーを有する。スチールロッドの正確な中心において、コネクターピンの直径よりも僅かに大きな孔８４が穴あけによって形成される。この孔は、挿入後クリアランスを確保するため、ピンの長さよりも深いものである。チャンバーもやはりこの端部内に機械加工されるが上記孔ほどの深さはなく、しかもスチールロッドの長手方向軸線に対して偏心している。チャンバーの直径および位置は、孔の内側あるいは後方エッジが正確にチャンバーの後方エッジと一列に並ぶようなものである。チャンバーの直径は、二つのシャープなナイフエッジを形成する減径セクションから脱している。使用に当たっては、操作者は、曲がったピンが棚部８２に接触したことを知らせる抵抗に注意して、端部アセンブリ６４（図６）をコネクター内に挿入する。挿入する間のひねりは曲がったピンを再整列させ、その結果、チャンバー８０によって形成されるギャップ９０は、曲がったピンの上を滑り降りることができる。ツールが挿入された後、ツールは操作者の指の間で徐々に回転させられる。ツールが回転させられたとき、二つのシャープなナイフエッジ９４，９２の一つは、曲がったピンの後方で駆動されると共に、ピンはカム壁１００の中心まで徐々に押しやられる。ピンがこのようにして、いったん中心に位置すると、それは孔８４内に進入し、その後、ツールはコネクター収容部から取り外すことができるようになる。
【００４２】
ゆえに、使用時には、減径部７２はゆっくりと、曲がったピンによってもたらされる抵抗を感じるまで、収容部１６（図２）内に挿入される。次に、ツール６０（図４〜６）が回転させられ、そして曲がったピン１４は、内部カム壁１００の周囲を移動するようナイフエッジ９２あるいは９４によって強制される。この結果、それは、ツールが回転した際に、収容部内で同心関係となるよう矯正される。いったんピンが壁１００の中心に達すると、それは続いて孔８４内に収容される。この結果、減径部７４は完全に収容部内に収容され、かつピンが矯正されると共に収容部内に同心的に位置していることを保証するためツールはさらに回転できる。
【００４３】
このように、ピン矯正ツール６０（図４）は、末端が端部アセンブリ６４となっているシャフト６２を含む。チャンバー８０（図６）は、その内部に曲がったピンを収容するため端部アセンブリに設けられている。チャンバー８０は、端部アセンブリ６４内で末端が棚部８２となっている。孔８４は、シャフトが回転させられ、曲がったピンの末端部を孔８４内に押しやった際に、曲がったピンを矯正するためチャンバー８０内に配置されている。カム面１００は、曲がったピンの末端部を直線形状となるように強制変形させる形状となっている。好ましくは、減径部７２によって形成されたカラー部、チャンバー８０、および減径部７２における開口部９０の両側にあるエッジ９２および９４が、曲がったピンをその収容部内で同心関係となるよう強制変形させる。
【００４４】
ピン矯正ツール６０（図４〜６）は、ＧＰＯコネクターおよびさらにピンを有する他のタイプのコネクターにも、曲がったコネクターピンを矯正するために、そしてまた電子モジュールの全てのコネクターピンが直線形状でありかつコネクター収容部内に同心的に位置していることをプラグがその内部に位置させられる前に保証するために使用できる。ピン矯正ツール６０は、操作者が、ひどく曲がったコネクターピンでさえ、それを損傷させることなく徐々に矯正することを可能にする。ピン矯正ツール６０は、製造が容易で、しかもそのコスト効果が高く、高価な電子モジュールのスクラップ化を抑止する。また、時間の掛かるトラブルシューティング、作り直し、そして曲がったピンおよび／または非同心的に位置するピンを備えた電子モジュールの解析に関係する出費が排除される。
【００４５】
ピン矯正ツール６０が精確で使いやすいというのは、コネクター収容部内に収容可能であって、かつコネクターピンを取り囲むと共に、シャフト６２が回転させられた際、ピンを収容部内で矯正し、そしてさらに同心的に整列させるカム形壁１００あるいはカラーを備えた形状となった端部アセンブリ６４が末端をなしているシャフト６２によってもたらされる。カム形壁１００に隣接する孔８４は、ピンが同心的に整列させられた際、ピンを矯正するためそれを収容する。
【００４６】
本発明の特定の特徴を特定の図面に示したが、これは単に便宜的なものであり、各特徴は本発明による他のいくつかの、あるいは全ての特徴と組み合わせることができる。ここで使用した「〜を含む」、「〜を具備する」、「〜を有する」、および「〜を備える」という語は、広くかつ包括的に解釈されるべきであり、いかなる物理的相互連結にも限定されない。さらに、本願に開示された実施形態および実例を唯一可能な実施形態あるいは実例と考えるべきではない。当業者は他の実施形態を見出すであろうし、それは特許請求の範囲内のものである。
【図面の簡単な説明】
【００４７】
【図１】中心導体あるいはピンを備えた収容部を含む通常のコネクターアセンブリの概略断面図である。
【図２】中心導体あるいはピンが曲がっていることを除いて、図１と同様の他の概略断面図である。
【図３】コネクター収容部内部のピンと係合した従来技術のピン矯正ツールを示す概略断面図である。
【図４】本発明のピン矯正ツールの好ましい実施形態を示す概略側面図である。
【図５】本発明のピン矯正ツールの好ましい実施形態の端部アセンブリ部分の概略平面図である。
【図６】本発明のピン矯正ツールの好ましい実施形態の端部アセンブリの概略一部破断図である。
【符号の説明】
【００４８】
１２  コネクター
１４  ピン
１６  収容部
１８  プラグ
２０  孔
３０  ツール
３２  孔
６０  ピンあるいは中心導体矯正ツール
６２  シャフト
６４  端部アセンブリ
６６  ハンドル端部
６８  ローレット面
７０  オリフィス
７２  第１の減径部
７４  第２の減径部
７６  傾斜壁
７８  ショルダー部
７９  第３の減径部
８０  チャンバー
８２  棚部
８４  ピン矯正孔
９０  ギャップ
９２，９４  ナイフエッジ
９８  上端面
１００  チャンバー壁（カム形の内面）
【図１】
2005512812.tif 000003
【図２】
2005512812.tif 000004
【図３】
2005512812.tif 000005
【図４】
2005512812.tif 000006
【図５】
2005512812.tif 000007
【図６】
2005512812.tif 000008
【手続補正書】
【提出日】平成15年8月11日(2003.8.11)
【手続補正１】
【補正対象書類名】特許請求の範囲
【補正対象項目名】全文
【補正方法】変更
【補正の内容】
【特許請求の範囲】
【請求項１】
末端が端部アセンブリとなっているシャフトと、
内部に曲がったピンを収容するための、前記端部アセンブリ内のチャンバーであって、前記端部アセンブリ内部で末端が棚部となっている前記チャンバーと、
前記曲がったピンを矯正するための、前記チャンバー内に設けられた孔と、
を具備し、
前記シャフトが回転させられたとき前記曲がったピンの末端部を前記孔内へと押しやるようになっていることを特徴とするピン矯正ツール。
【請求項２】
前記孔は、前記端部アセンブリの中心に配置されていることを特徴とする請求項１に記載のピン矯正ツール。
【請求項３】
前記チャンバーは、前記端部アセンブリの中心に対して偏心的に配置されていることを特徴とする請求項２に記載のピン矯正ツール。
【請求項４】
前記チャンバーは、前記曲がったピンの背後で駆動可能な、二つの対向する長手方向に延在したエッジを形成するギャップを含むことを特徴とする請求項３に記載のピン矯正ツール。
【請求項５】
前記孔は、前記棚部の後方エッジに隣接する後方側面を有することを特徴とする請求項３に記載のピン矯正ツール。
【請求項６】
前記孔は、前記ピンの直径よりも僅かに大きな直径を有することを特徴とする請求項１に記載のピン矯正ツール。
【請求項７】
前記チャンバーは、前記孔の直径よりも格段に大きな直径を有することを特徴とする請求項１に記載のピン矯正ツール。
【請求項８】
前記チャンバーは、前記ピンの長さよりも小さな深さを有することを特徴とする請求項１に記載のピン矯正ツール。
【請求項９】
前記チャンバーの深さを加えた前記孔の深さは、前記ピンの長さよりも大きなものとなることを特徴とする請求項８に記載のピン矯正ツール。
【請求項１０】
前記端部アセンブリは、前記ピンをその内部に具備する収容部内に収容可能な第１の減径部を含むことを特徴とする請求項１に記載のピン矯正ツール。
【請求項１１】
前記第１の減径部は、前記収容部の内径よりも小さな外径を有することを特徴とする請求項１０に記載のピン矯正ツール。
【請求項１２】
前記チャンバーは前記第１の減径部に配置されていることを特徴とする請求項１０に記載のピン矯正ツール。
【請求項１３】
前記端部アセンブリは、前記ピンを具備する前記収容部内に同様に収容可能な第２の減径部をさらに含むことを特徴とする請求項１０に記載のピン矯正ツール。
【請求項１４】
前記第２の減径部は、前記収容部の内径よりも僅かに小さな外径を有することを特徴とする請求項１３に記載のピン矯正ツール。
【請求項１５】
前記孔は前記第２の減径部内へ延在することを特徴とする請求項１３に記載のピン矯正ツール。
【請求項１６】
前記第２の減径部は、前記収容部の深さよりも小さな長さを有することを特徴とする請求項１３に記載のピン矯正ツール。
【請求項１７】
前記第２の減径部は、前記収容部よりも直径の大きなショルダー部を前記端部アセンブリに形成することを特徴とする請求項１３に記載のピン矯正ツール。
【請求項１８】
前記第１の減径部と前記第２の減径部との間に、前記第２の減径部を前記収容部内に整列させるための傾斜壁をさらに含むことを特徴とする請求項１３に記載のピン矯正ツール。
【請求項１９】
前記シャフトには、その把持のためのローレット仕上げがなされていることを特徴とする請求項１に記載のピン矯正ツール。
【請求項２０】
前記シャフトは円形であることを特徴とする請求項１に記載のピン矯正ツール。
【請求項２１】
前記端部アセンブリは円形であることを特徴とする請求項１に記載のピン矯正ツール。
【請求項２２】
末端が、曲がったピンを具備する収容部内に収容可能な端部アセンブリとなっているシャフトと、
前記曲がったピンの末端部を直線形状へと強制変形させる形状となった、前記端部アセンブリ内部のカム面と、
前記カム面によって前記ピンが直線形状へと強制変形させられた際に、前記ピンの前記末端部をその内部に収容する孔と、
を具備してなることを特徴とするピン矯正ツール。
【請求項２３】
前記カム面は、前記端部アセンブリに形成されたチャンバーの内壁であることを特徴とする請求項２２に記載のピン矯正ツール。
【請求項２４】
前記チャンバーは、末端が前記端部アセンブリ内で棚部となっていることを特徴とする請求項２３に記載のピン矯正ツール。
【請求項２５】
前記孔は、前記端部アセンブリの中心に配置されていることを特徴とする請求項２２に記載のピン矯正ツール。
【請求項２６】
前記チャンバーは、前記端部アセンブリの中心に対して偏心的に配置されていることを特徴とする請求項２３に記載のピン矯正ツール。
【請求項２７】
前記チャンバーは、曲がったピンの背後で駆動可能な、二つの対向する長手方向に延在したエッジを形成するギャップを含むことを特徴とする請求項２３に記載のピン矯正ツール。
【請求項２８】
前記孔は、前記棚部の後方エッジに隣接する後方側面を有することを特徴とする請求項２４に記載のピン矯正ツール。
【請求項２９】
前記孔は、前記ピンの直径よりも僅かに大きな直径を有することを特徴とする請求項２２に記載のピン矯正ツール。
【請求項３０】
前記チャンバーは、前記孔の直径よりも大きな直径を有することを特徴とする請求項２３に記載のピン矯正ツール。
【請求項３１】
前記チャンバーは、前記ピンの長さよりも小さな深さを有することを特徴とする請求項２３に記載のピン矯正ツール。
【請求項３２】
前記チャンバーの深さを加えた前記孔の深さは、前記ピンの長さよりも大きなものとなることを特徴とする請求項２３に記載のピン矯正ツール。
【請求項３３】
前記端部アセンブリは、内部に前記ピンを具備する収容部内に収容可能な第１の減径部を含むことを特徴とする請求項２２に記載のピン矯正ツール。
【請求項３４】
前記端部アセンブリはさらに、前記ピンを具備する収容部内に同様に収容可能な第２の減径部を含むことを特徴とする請求項３３に記載のピン矯正ツール。
【請求項３５】
前記第２の減径部は、前記収容部よりも直径の大きなショルダー部を前記アセンブリに形成することを特徴とする請求項３４に記載のピン矯正ツール。
【請求項３６】
前記第１の減径部と前記第２の減径部との間に、前記第２の減径部を前記収容部内に整列させるための傾斜壁をさらに含むことを特徴とする請求項３４に記載のピン矯正ツール。
【請求項３７】
末端に配置された第１の減径部と、この第１の減径部に隣接する第２の大減径部と、を有し、末端が端部アセンブリとなっているシャフトと、
末端が棚部となっている前記第１の減径部内のチャンバーであって、曲がったピンの背後で駆動可能な、二つの対向する長手方向に延在したエッジを形成するギャップを有する前記チャンバーと、
前記棚部に設けられ、かつ前記曲がったピンを矯正するため前記第２の減径部内へと延在する孔と、
を具備し、
前記シャフトが回転させられた際に前記曲がったピンの末端部を前記孔内へ押しやるようになっていることを特徴とするピン矯正ツール。
【請求項３８】
末端が端部アセンブリとなっているシャフトと、
末端がその内部の棚部となっている前記端部アセンブリ内のチャンバーであって、末端が、内部に曲がったピンを具備する収容部内に収容可能な、二つの対向する長手方向に延在したエッジを形成するギャップとなっているカム面を形成する内壁を有する前記チャンバーと、
ツールが回転させられ、一つの長手方向に延在するエッジが前記曲がったピンの背後で動いて、前記カム面が前記曲がったピンを前記孔内へと押しやる際に、内部に前記曲がったピンを収容するための、前記チャンバーの内壁に隣接する孔と、
を具備してなることを特徴とするピン矯正ツール。
【請求項３９】
シャフトと、
ピンを収容部内で同心関係となるよう強制変形させる、前記シャフトの末端部に存在するカラー部であって、前記シャフトの減径末端部と、前記減径末端部に偏心的に設けられたチャンバーと、前記チャンバーと連通している、前記シャフトの前記減径末端部における開口部と、から形成されている前記カラー部と、
前記カラー部が回転させられた際に、その内部に前記ピンの末端部を収容する孔と、
を具備してなることを特徴とするピン矯正ツール。
【国際調査報告】
2005512812.tif 000009